(57)【要約】【課題】小児や乳幼児の口腔内を内視鏡で診察する際に、小児や乳幼児がたやすく口を開き、しかも口にくわえた状態で口腔内を視診することを可能にする、簡便な構造の内視鏡ホルダを提供する【解決手段】中央に、透明な凸部５０を有し、内視鏡の先端２１１を防護する乳房形をなした中空の吸い口２０と、開口した底部１２を有し、吸い口２０が装着される哺乳瓶模型１０と、を備え、内視鏡の先端２１１を凸部５０に当接させた吸い口２０を哺乳瓶模型１０に装着し、装着された吸い口２０を、口腔内を視診する患者にくわえさせる。そして、底部６１及び開口端６２を有し、内視鏡の先端２１１を防護する透明な筒状部材６０を備え、吸い口２０は、中央に円形孔２１を有するものであって、内視鏡の先端２１１を底部６１に当接させた筒状部材６０を円形孔２１に挿入し、円形孔２１から突出した筒状部材の底部６１により凸部５０を形成してもよい。【選択図】図２
0003123801.tif 000002
【実用新案登録請求の範囲】
【請求項１】
中央に、透明な凸部を有し、内視鏡の先端を防護する乳房形をなした中空の吸い口と、開口した底部を有し、前記吸い口が装着される哺乳瓶模型と、を備え、内視鏡の先端を前記凸部に当接させた前記吸い口を前記哺乳瓶模型に装着し、装着された該吸い口を、口腔内を視診する患者にくわえさせることを特徴とする内視鏡ホルダ。
【請求項２】
底部及び開口端を有し、内視鏡の先端を防護する透明な筒状部材を備え、前記吸い口は、中央に円形孔を有するものであって、内視鏡の先端を底部に当接させた前記筒状部材を前記円形孔に挿入し、該円形孔から突出した該筒状部材の底部により前記凸部を形成することを特徴とする請求項１記載の内視鏡ホルダ。
【請求項３】
前記哺乳瓶模型は、口腔内を視診する患者に把持させる把手を備えたことを特徴とする請求項１記載の内視鏡ホルダ。
【請求項４】
前記吸い口を係止する係止部を有し、前記哺乳瓶模型に螺着される蓋を備えたことを特徴とする請求項１記載の内視鏡ホルダ。
【請求項５】
前記筒状部材は、底部側の外径が漸減するテーパを有することを特徴とする請求項２記載の内視鏡ホルダ。
【請求項６】
底部及び開口端を有し、内視鏡の先端を防護する透明な筒状部材と、前記筒状部材が挿脱される貫通孔を有する食品サンプルと、を備え、内視鏡の先端を底部に当接させた前記筒状部材を前記貫通孔に挿入し、該貫通孔から突出した該筒状部材の底部を、口腔内を視診する患者にくわえさせることを特徴とする内視鏡ホルダ。
【請求項７】
前記食品サンプルは、前記貫通孔の、前記底部が突出す側の内縁に、通過物の外径を規制する規制部材を有し、前記筒状部材は、該筒状部材の底部から所定の位置における外径を太くする補助部材を有することを特徴とする請求項６記載の内視鏡ホルダ。
【請求項８】
前記食品サンプルは、前記貫通孔の、前記底部が突出す側の内縁に、通過物の外径を規制する規制部材を有し、前記筒状部材は、底部側の外径が漸減するテーパを有することを特徴とする請求項６記載の内視鏡ホルダ。
【考案の詳細な説明】
【技術分野】
【０００１】
本考案は、内視鏡の先端を防護して口腔内に挿入される内視鏡ホルダに関するものである。
【背景技術】
【０００２】
医者が喉頭や咽頭など、口腔内を診察する際には金属製又は木製の舌圧子を片手で操作し、他方の手で懐中電灯を照らしながら視診するのが一般的である。しかしながら、口腔内を照明しながら視診するのでは、細部を明瞭に観察できないという課題がある。そこで、後方から光ファイバなどによって導かれた照明光で口腔内を照らし、照明された口腔内画像を光ファイバなどの光学部材を用いて後方に結像させる口腔内観察用ファイバスコープが提案されている（特許文献１参照）。この方法を用いれば、口腔内の微細部分であっても、両手を用いずに明瞭に観察できるという利点があるが、鮮明画像を得るためには、より高度な光学部材を用いる必要があり、ファイバスコープが割高になるという課題がある。
一方、近年は、ＣＣＤカメラの小型化、高感度化が進展し、ＣＣＤカメラを内蔵し、そのＣＣＤカメラで撮影された画像をモニタ画面に表示するようにしたビデオスコープや、ビデオスコープに更にビデオレコーダやテレビ受像機を組み合わせ、記録を残すことや、多くの人にモニタさせるように構成した口腔内視映像システムなどが開発されるなど、デジタル技術を用いることにより鮮明で明るい画像を得る技術が目覚しく進歩している。
しかしながら実際にそれらを医療現場に適用し口腔内を視診等する場合には、口腔内外で移動操作することによる不便性から、操作性を容易にした口腔内視用小型テレビカメラのホルダが提案されている（特許文献２参照）。
【特許文献１】実公昭６０−６９１０２号公報
【特許文献２】実全昭６３−３０２８１８号公報
【考案の開示】
【考案が解決しようとする課題】
【０００３】
今日、ファイバスコープやビデオスコープなどの内視鏡は、比較的安価に入手できるようになってきており、医療現場においても益々普及するものと思われる。しかしながら、内視鏡の先端部分は、その構造や材質、並びに安全衛生上の理由から、口にくわえさせることや、口にくわえた先端部を煮沸消毒等することは困難であり、内視鏡を用いて口腔内を診察する際には、口を開けたままの状態で行うか、マウスピースなどを用いて行う必要がある。これに対し、口腔内を診察する患者が乳幼児や小児の場合には、内視鏡の先端部分などの見慣れない物を近付けると口を閉ざす場合が多く、内視鏡を口腔内に挿入すること自体に忍耐と工夫が必要である。また、一旦口を開けても、短時間で口を閉じてしまうので、挿入された内視鏡の先端をかじられるおそれがある。さらに、異物に敏感であり、マウスピースは装着すること自体困難な場合が多い。
上記事情に鑑み、本考案は、小児や乳幼児の口腔内を内視鏡で診察する際に、小児や乳幼児がたやすく口を開き、しかも口にくわえた状態で口腔内を視診することを可能にする、簡便な構造の内視鏡ホルダを提供することを目的とする。
【課題を解決するための手段】
【０００４】
本考案の内視鏡ホルダは、中央に、透明な凸部を有し、内視鏡の先端を防護する乳房形をなした中空の吸い口と、開口した底部を有し、前記吸い口が装着される哺乳瓶模型と、を備え、内視鏡の先端を前記凸部に当接させた上記吸い口を上記哺乳瓶模型に装着し、装着された該吸い口を、口腔内を視診する患者にくわえさせることを特徴とする。
このように、口にくわえても安全な、透明な部材を用いて内視鏡の先端を防護する吸い口を形成し、その吸い口をミニチュアの哺乳瓶に装着するので、口腔内を視診する乳幼児は、違和感を持たずにその哺乳瓶を手で持ち、内視鏡の先端が収容された吸い口を口にくわえる。そこで、乳幼児に違和感を抱かせずに、口腔内の診察を円滑に行うことができる。
また、底部及び開口端を有し、内視鏡の先端を防護する透明な筒状部材を備え、上記吸い口は、中央に円形孔を有するものであって、内視鏡の先端を底部に当接させた上記筒状部材を上記円形孔に挿入し、該円形孔から突出した該筒状部材の底部により上記凸部を形成することも好ましく、上記筒状部材は、底部側の外径が漸減するテーパを有するも好ましい。
このように、吸い口部の凸部を筒状部材で形成すれば、内視鏡の先端を固定しやすく、防護も容易になる。また、筒状部材にテーパを設ければ、円形孔から底部が突出す長さは制限されるので、乳幼児が吸い口をくわえたときに底部が咽喉や咽頭にあたる恐れがない。
また、上記哺乳瓶模型は、口腔内を視診する患者に把持させる把手を備えたことも好ましい。
ミニチュアの哺乳瓶に把手がついていれば、乳幼児が持ちやすい。
さらに、上記吸い口を係止する係止部を有し、上記哺乳瓶模型に螺着される蓋を備えたことも好ましい。
吸い口が蓋に係止されるようになっていれば、蓋を外して、吸い口や筒状部材を消毒するのが容易になる。
【０００５】
本考案の内視鏡ホルダは、底部及び開口端を有し、内視鏡の先端を防護する透明な筒状部材と、上記筒状部材が挿脱される貫通孔を有する食品サンプルと、を備え、内視鏡の先端を底部に当接させた上記筒状部材を上記貫通孔に挿入し、該貫通孔から突出した該筒状部材の底部を、口腔内を視診する患者にくわえさせることを特徴とする。
このように、食品サンプル、例えば小児が好むコーン入ソフトクリームのサンプルに貫通孔を設け、その貫通孔から内視鏡の先端が収容された透明な筒状部材の底部を突出しているので、口腔内を視診する小児は、違和感を持たずにその食品サンプルを手で持ち、内視鏡の先端が収容された底部を口にくわえる。そこで、乳幼児に違和感を抱かせずに、口腔内の診察を円滑に行うことができる。さらに、筒状部材のみを外して、消毒することにより、繰り返し使用が容易である。
また、上記食品サンプルは、上記貫通孔の、上記底部が突出す側の内縁に、通過物の外径を規制する規制部材を有し、上記筒状部材は、該筒状部材の底部から所定の位置における外径を太くする補助部材を有することも好ましく、上記食品サンプルは、上記貫通孔の、上記底部が突出す側の内縁に、通過物の外径を規制する規制部材を有し、上記筒状部材は、底部側の外径が漸減するテーパを有することも好ましい。
このように、貫通孔の内縁に規制部材を設け、筒状部材の所定位置に外径を太くする補助部材を設けるか、あるいは貫通孔の内縁に規制部材を設け、筒状部材の底部側に、底部側ほど細径となるテーパを設ければ、貫通孔から突出す底部の長さが制限されるので、乳幼児が吸い口をくわえたときに底部が咽喉や咽頭にあたる恐れがない。
【考案の効果】
【０００６】
本考案の内視鏡ホルダによれば、外郭が、小児や乳幼児が好む形をしているので口をたやすく開け、しかも口にくわえた状態で口腔内を内視鏡で視診することができるので、小児や乳幼児の口腔内診察が容易になる。また、口にくわえる部分の着脱が容易であるから、煮沸消毒等を行うことにより、繰り返し使用することができる。
【考案を実施するための最良の形態】
【０００７】
（第１の実施形態）
図１は、第１の実施形態の内視鏡ホルダに適用される内視鏡の一例を示す概略構成図である。
図１に示すように、本実施形態に用いる内視鏡２００は、ヘッド部２１０と、接眼部２３０と、操作部２２０と、フレキシブルコード２４０と、により構成されている。ヘッド部２１０は、光を放射し、その光が照射された口腔内の被写体像を得る細径の先端２１１と、フレキシブルコードに接続される太径の後端２１２とを有する。フレキシブルコード２４０は、ヘッド部２１０と接眼部２３０及び操作部２２０とを光学的に折り曲げ自在につなぎ、図に現れない光源の光を細径の先端２１１に伝送する。そして、細径の先端２１１で取得した被写体像を接眼部２３０に伝送する。なお、ヘッド部２１０とフレキシブルコード２４０とはコネクタにより着脱自在に接続され、接眼部２３０及び操作部２２０とフレキシブルコード２４０とは固定接続される。接眼部２３０は、図に現れない内蔵されたレンズにより、拡大又は縮小された被写体像を肉眼で覗くことができる。操作部２２０は、先端２１１に光を伝送する光源の点滅を手動操作することができる。
本実施形態の内視鏡は、被写体像を接眼部２３０で直視するファイバスコープを用いているが、内視鏡は必ずしもファイバスコープである必要はなく、被写体像をＣＣＤカメラで撮影し、撮影されたデジタル画像をモニタ画面で観察し、メモリに記録することが可能なビデオスコープを用いてもよい。
図２から図４は、第１の実施形態として示す内視鏡ホルダのそれぞれ正面図、側面図、及び平面図であり、正面図及び平面図は、内視鏡がセットされていない状態、側面図は、内視鏡がセットされた状態を示す。
図２から図４に示すように、本実施形態の内視鏡ホルダ１００は、開口した底部を有するミニチュアの哺乳瓶１０と、乳房形をした中空の吸い口２０と、吸い口２０を装着して、ミニチュアの哺乳瓶１０に螺着される蓋３０と、患者が把持する把手４０と、内視鏡のヘッド部２１０を収容し、先端２１１を防護する透明な筒状部材６０と、を備えている。
ここで、ミニチュアの哺乳瓶１０は、例えばポリエチレン、ポリプロピレン、塩化ビニル樹脂、ポリスチレン、ＡＢＳ樹脂などの熱可塑性樹脂を用いて、押出式、あるいは射出式のブロー成形により形成することができる。一方、吸い口２０は、口にくわえたときに安全であること、煮沸消毒できることが必須要件であり、ポリプロピレン、ポリスチレン、ＡＢＳ樹脂、メタクリル樹脂などを用いることができる。また、内視鏡の先端を防護する筒状部材６０は、更に光透過性を有すること、噛まれても傷付かないことや変形の恐れのないことが必須要件であり、メタクリル樹脂、ホウケイ酸ガラスなどを用いることができる。ただし、上述した材料は、一例であって、必ずしもそれらに限定されず、要件を満たせば他の材料を用いてもよい。
ミニチュアの哺乳瓶１０は、口部１１及び底部１２を有する円筒形のもので、口部１１には、蓋３０を回転させて螺着するためのねじ山があり、底部１２には、透明な筒状部材６０を挿入するための開口（図に現れない）がある。また、口部１１には、対称な位置に把手４０が２つあり、患者（乳幼児）は、両手で把手４０をつかみ、吸い口２０をくわえることができる。
図４に示すように、吸い口２０は、乳房形に成形された中空部材からなり、中央に円形孔２１が設けてある。また、蓋３０は、円形に成形され、中央には、吸い口２０が突出す大きな開口３１と、開口３１の周囲において吸い口２０を係止する係止部３２とを有する。
乳房形をした吸い口２０の最大径は、蓋の開口３１の径よりは大きく、蓋２０の内径よりは小さくなっている。したがって、ミニチュアの哺乳瓶１０に螺着される蓋３０の裏側から吸い口２０を嵌め込み、開口３１の周囲にある係止部３１に、吸い口２０の最大径の部分を係止させることにより、吸い口２０は蓋３０に固定される。したがって、吸い口２０が係止された蓋３０を、ミニチュアの哺乳瓶１０に螺着すれば、吸い口２０をミニチュアの哺乳瓶１０に装着することができる。
図５は、本実施形態の内視鏡ホルダに用いる透明な筒状部材の正面図である。
図５に示すように、筒状部材６０は、一方が、丸みを帯びた底部６１で、他方が、開口端６２の、透明な中空容器である。本実施形態の筒状部材６０は、長手方向の底部６１側において、外径が、底部側６１ほど小さくなるテーパが設けてあり、長手方向の開口端６２側においては、外径が均一になっている。また、底部６１の外径は、円形孔２１の径よりも小さく、かつ開口端６２の外径は、円形孔２１の径よりも大きい。したがって、円形孔２１に底部６１から筒状部材６０を挿入すれば、円形孔２１から筒状部材６０の底部６１側の一部が突出す。
図２から図４に示すように、ミニチュアの哺乳瓶１０の開口した底部１２から、筒状部材６０を底部６１から挿入し、円形孔２１に押し込めば、筒状部材６０は、その円形孔２１から底部６１が突出して、本考案の凸部５０を形成する。そのとき、筒状部材６０のテーパにより、底部６１側が突出す長さは制限される。
ここで、吸い口２０から底部６１側が突出す長さは、円形孔２１の径と、筒状部材６０の長手方向底部６１側におけるテーパにより任意に設定することができる。ただし、長さがあまり長すぎると、乳幼児などが、吸い口２０よりも底部６１をくわえることになり、口腔内の視診が難しくなるので、１０ｍｍ程度以下となるように設定することが好ましい。そして、吸い口２０の最大径を、乳幼児が通常口にくわえる乳首よりも大きめにしておけば、患者である小児が吸い口２０を口にくわえたときに、底部６１が咽喉や喉頭などに当たるおそれはない。
本実施形態の内視鏡ホルダ１００を用いて、口腔内の視診を行うときは、まず、図２に示すように、内視鏡のヘッド部２１０を、光を放射する細径の先端２１１が底部６１に当接するまで、筒状部材６０に押し込む。そして、ヘッド部２１０の太径の後端２１２が開口端６２に嵌合し、筒状部材６０に固定されるようにする。次に、蓋３０に係合された吸い口２０の円形孔２１から、内視鏡のヘッド部２１０が収容された透明な筒状部材６０の底部６１を突出させる。そして、底部６１が吸い口２０から突出した蓋３０を、ミニチュアの哺乳瓶１０に螺着させる。次に、図３に示すように、内視鏡のフレキシブルコード２４０を、ヘッド部２１０に接続し、口腔内の視診準備が完了する。
準備が完了したら、患者に哺乳瓶の把手４０を両手でつかませ、吸い口２０を口にくわえさせる。患者が吸い口２０をくわえたら、内視鏡の操作部２２０を操作して、細径の先端２１１から照明光を放射し、照明された口腔内像を接眼部２３０で視診し、患部や症状を特定する。なお、必要により、筒状部材の底部６１を首ふりさせることなどにより、視診角度を変えることができる。
ここでは、筒状部材の底部６１を首ふりさせて、視診角度を変えているが、操作部２２０の操作により、細径の先端２１１の向きを変えることやズームレンズを操作することができる内視鏡を用いてもよいし、ヘッド部２１０を取り替えることにより視野角を変更できる内視鏡を用いてもよい。
このように、内視鏡ホルダ１００の外観がミニチュアの哺乳瓶であれば、患者である乳幼児は違和感なく、自分の両手で内視鏡ホルダ１００をつかみ吸い口２０を口にくわえてくれるので、外部から口腔内を容易、かつ十分に視診することができる。また、十分な長さのフレキシブルコード２４０を有する内視鏡を用いれば、母親に抱かれた状態での診察も容易である。さらに、口にくわえた筒状部材６０や吸い口２０は、取り外して、容易に煮沸消毒などが行えるので、繰り返し使用することができる。
本実施形態では、筒状部材６０がテーパを持ち、吸い口２０の円形孔２１から突出す長さが制限された底部６１が、内視鏡の先端を防護する凸部５０を構成している。しかしながら、突出す長さを制限するためのテーパは必ずしも必要ではなく、外径を均一にして、底部６１側の所定位置に粘着テープなどを巻いて外径を太くし、円形孔２１を通過できないように構成してもよいし、底部側の所定位置を円形孔２１に固定することにより、円形孔２１から突出す長さを制限してもよい。その場合、筒状部材６０を吸い口２０に接着して固定してもよいし、あるいは一体成形して固定してもよい。
また、筒状部材６０は必ずしも必要ではなく、例えばミニチュアの哺乳瓶１０を、内視鏡のヘッド部２１０が通過する程度の貫通孔のある充実形のものとして成形する一方、透明部材により吸い口２０と凸部５０とを一体成形し、そこに内視鏡のヘッド部２１０を収容することにしてもよい。
【０００８】
（第２の実施形態）
第２の実施形態の内視鏡ホルダは、第１の実施形態に較べて、内視鏡の先端を防護する筒状部材を用いる点は共通するが、本体がミニチュアの哺乳瓶ではなく食品サンプルである点や筒状部材の外径が均一で、太い点が相違する。
図６から図８は、第２の実施形態として示す内視鏡ホルダのそれぞれ正面図、側面図、及び平面図であり、正面図及び平面図は、内視鏡がセットされていない状態、側面図は、内視鏡がセットされた状態を示す。
図６から図８に示すように、本実施形態の内視鏡ホルダ１１０は、貫通孔１１５を有し、外郭がコーン入ソフトクリームの食品サンプル１１１と、内視鏡のヘッド部２１０を収容し、先端２１１を防護する透明な筒状部材６０と、を備えている。
ここで、外郭がコーン入ソフトクリームの食品サンプル１１１は、例えばシリコンを用いてコーン入ソフトクリームの型取りを行い、出来上がったシリコンの型に塩化ビニルなどのプラスチックを流し込んでコーン入ソフトクリームそっくりに成形されたものに、筆などを用いて着色して形成してもよいし、コーンとソフトクリームそれぞれの色に着色されたプラスチックを射出成形により形成してもよい。一方、内視鏡の先端２１１を防護する筒状部材６０は、口にくわえたときに安全であること、煮沸消毒できること、光透過性を有すること、噛まれても傷付かないことや変形の恐れのないことが必須要件であり、例えばメタクリル樹脂、ホウケイ酸ガラスなどを用いることができる。ただし、ここに示した材料は、一例であって、必ずしもそれらに限定されず、要件を満たせば他の材料を用いてもよい。
筒状部材６０は、図５に示すように、一方が、丸みを帯びた底部６１で、他方が、開口端６２の、透明な中空容器である。ただし、本実施形態の筒状部材６０は、第１の実施形態で説明したような底部６１側のテーパはないので、外径は均一である。また、本実施形態の内視鏡ホルダ１１０は、第１の実施形態における吸い口２０のかわりに底部６１を直接くわえさせるので、第１の実施形態の底部に較べれば、その外径が大きい筒状部材を用いている。さらに、筒状部材６０の底部６１側の所定の位置には貫通孔１１５の通過を制限する補助部材６３（図示されていない）が取り付けられている。
ここで、補助部材６３は、例えば外径を大きくするために筒状部材６０に巻きつけた粘着テープであってもよいし、筒状部材６０に取り付けたリング状部材であってもよい。また、本実施形態の筒状部材６０は、底部６１の外径と開口端６２の外径とが同じになるよう構成されているが、底部６１にさらに細径の凸部を連接させると共に、底部６１自体を球形にし、開口端６２の外径よりもその径を大きくして、細径の凸部に内視鏡の先端２１１を収容するように構成してもよい。筒状部材６０をそのように構成すれば、患者である小児がその底部６１を口にくわえたときに、咽喉や喉頭などに当たらない。
図６に示すように、食品サンプル１１１の貫通孔１１５は、内径が筒状部材６０の外径よりも大きく、ソフトクリームの頂側内縁には規制部材１１６（図に現れない）が設置されている。そして、規制部材１１６の内径は、筒状部材６０に取り付けられた補助部材６３の外径よりも小さくなっている。
図８に示すように、本実施形態の内視鏡ホルダ１１０のソフトクリームの頂側側面には、中心よりもやや下に貫通孔１１５があり、その貫通孔１１５の縁には、規制部材１１６が設置されている。したがって、図５で示した、丸みを帯びた底部６１と、開口端６２とを有する透明な筒状部材６０の底部６１から、貫通孔１１５のコーン側に挿入すると、貫通孔１１５の縁に設置された規制部材１１６が補助部材６３の通過を規制するため、ソフトクリームの頂側から底部６１側が突出す長さは制限される。
このように、食品サンプル１１１から筒状部材の底部６１側が突出す長さを制限すれば、小児の咽頭や喉頭などに、口にくわえた底部６１があたるおそれがない。
本実施形態の内視鏡ホルダ１１０を用いて、口腔内の視診を行うときは、まず、図６に示すように、内視鏡のヘッド部２１０を、光を放射する細径の先端２１１が底部６１に当接するまで、筒状部材６０に押し込む。そして、内視鏡のヘッド部２１０が収容された筒状部材の底部６１を、食品サンプル１１１の貫通孔１１５に、コーン側から挿入し、ソフトクリームの頂側に突出す。次に、図７に示すように、内視鏡のフレキシブルコード２４０を、ヘッド部２１０に接続し、口腔内の視診準備を完了する。
準備が完了したら、患者に、ソフトクリームにそっくりな内視鏡ホルダ１１０を持たせて、筒状部材の底部６１を口にくわえさせる。患者が底部６１をくわえたら、操作部２２０を操作して、ヘッド部２１０の先端２１１から照明光を放射し、照明された口腔内像を接眼部２３０で視診し、患部や症状を特定する。
ここで、本実施形態の内視鏡ホルダ１１０においても、第１の実施形態と同様に、筒状部材の底部６１を首ふりさせることにより内視鏡による視診範囲を変えたり、あるいは操作部２２０を操作して先端２１１の首ふりをさせたり、視野角調整を行い、内視鏡による視診範囲を変えることができる。
このように、内視鏡ホルダ１１０の外郭がコーン入ソフトクリームであるから、患者である小児は、喜んでそれをつかみ、突出した底部６１を違和感なく口にくわえるので、内視鏡で口腔内を容易に診察することができる。また、口にくわえた筒状部材６０は、貫通孔１１５から抜いて、煮沸消毒することができるので、繰り返し使用することができる。
本実施形態の内視鏡ホルダ１１０は、筒状部材６０に補助部材６３を取り付けることにより、貫通孔１１５の規制部材１１６を補助部材６３が通過するのを制限し、底部６１が突出す長さを規制しているが、第１の実施形態で説明したように、筒状部材６０の底部側の外径が漸減するテーパを設け、規制部材１１６により貫通孔１１５から底部６１が突出す長さを制限することもできる。
【図面の簡単な説明】
【０００９】
【図１】第１の実施形態の内視鏡ホルダに適用される内視鏡の一例を示す概略構成図である。
【図２】第１の実施形態として示す内視鏡ホルダの平面図である。
【図３】第１の実施形態として示す内視鏡ホルダの正面図である。
【図４】第１の実施形態として示す内視鏡ホルダの側面図である。
【図５】本実施形態の内視鏡ホルダに用いる透明な筒状部材の正面図である。
【図６】第２の実施形態として示す内視鏡ホルダの平面図である。
【図７】第２の実施形態として示す内視鏡ホルダの正面図である。
【図８】第２の実施形態として示す内視鏡ホルダの側面図である。
【符号の説明】
【００１０】
１０    ミニチュアの哺乳瓶
１１    口部
１２    底部
２０    吸い口
２１    円形孔
３０    蓋
３１    開口
３２    係止部
４０    把手
５０    凸部
６０    筒状部材
６１    底部
６２    開口端
６３    補助部材
１００、１１０  内視鏡ホルダ
１１５  貫通孔
１１６  規制部材
２００  内視鏡
２１０  ヘッド部
２１１  細径の先端
２１２  太径の後端  
２２０  操作部
２３０  接眼部
２４０  フレキシブルコード
【図１】
0003123801.tif 000003
【図２】
0003123801.tif 000004
【図３】
0003123801.tif 000005
【図４】
0003123801.tif 000006
【図５】
0003123801.tif 000007
【図６】
0003123801.tif 000008
【図７】
0003123801.tif 000009
【図８】
0003123801.tif 000010